(57)【要約】【課題】  脚等を載せる載置台（可動上部）を椅子本体に対して従来とは異なる方向に展開できるようにして利便性の高い椅子を提供する。【解決手段】  設置面に置かれるベース部２と、このベース部２に連結されかつ表側に着座面３ｂを有する可動上部３Ａ、３Ｂと、を備えた椅子１である。ベース部２の上側及び可動上部３Ａ、３Ｂの裏側に、それぞれ身体を置くための載置面８ｂ、３ａ、３Ｂａを形成し、可動上部３Ａ、３Ｂが、着座面３ｂ、３Ｂｂを上向きにしてベース部２上に配置された椅子状態から、ベース部２の側方又は後方へ移動して、載置面８ｂ、３ａ、３Ｂａを上向きに露出させる展開状態へ状態変更可能となるように、ベース部２に連結されている構成とする。  【選択図】      図２
2005211144.tif 000002
【特許請求の範囲】
【請求項１】
設置面に置かれるベース部と、このベース部に連結されかつ表側に着座面を有する可動上部と、を備えた椅子であって、
前記ベース部の上側及び前記可動上部の裏側には身体を置くための載置面が形成され、
前記可動上部は、前記着座面を上向きにして前記ベース部上に配置された椅子状態から、前記ベース部の側方又は後方へ移動して、前記載置面を上向きに露出させる展開状態へ状態変更可能となるように、前記ベース部に連結されていることを特徴とする椅子。
【請求項２】
前記可動上部の載置面に壁部が立設され、
前記ベース部は、前記椅子状態のときに、前記壁部の立設方向先端部がベース部の前記載置面よりも下方に位置するのを許容するように構成されていることを特徴とする請求項１に記載の椅子。
【請求項３】
前記壁部の上端面と、前記椅子状態においてこの上端面が当接するベース部の当接面とは、前記展開状態のときに連続するように構成されていることを特徴とする請求項２に記載の椅子。
【請求項４】
前記可動上部が複数に分割して構成され、当該可動上部がそれぞれ前記ベース部に連結されていることを特徴とする請求項１〜３のいずれかに記載の椅子。
【請求項５】
前記ベース部と可動上部のうち少なくとも一方にはマッサージ部が設けられていることを特徴とする請求項１〜４のいずれかに記載の椅子。
【請求項６】
前記マッサージ部は、前記ベース部と可動上部のうち少なくとも一方の載置面でマッサージ動作を行うように設けられていることを特徴とする請求項５に記載の椅子。
【請求項７】
前記可動上部は、前記椅子状態における背凭れ部または肘掛け部を一体に備えていることを特徴とする請求項１〜６のいずれかに記載の椅子。
【発明の詳細な説明】
【技術分野】
【０００１】
本発明は、椅子、特にマッサージ機能を有する椅子に関するものである。
【背景技術】
【０００２】
椅子型のマッサージ機は、座部と背凭れ部とを有し、人体の施療を行うための施療子を前記背凭れ部に設けた構造とされており、内蔵する複数のモータの駆動の組み合わせにより、施療子に複数の動作（例えば揉み動作、叩き動作、施療部位の変更等）を選択的に行わせることが可能とされたものが一般的である。そのなかでも、座部の前方に脚載置台が備えられたものがある。特許文献１には、脚載置台を設けても配置スペースを小さくできるように、マッサージ機の不使用時には、脚載置台を裏返しにして座部の座面に載置して収納するようにした椅子型マッサージ機が開示されている。
【特許文献１】特開平９−２６６９３３号公報（請求項１）
【発明の開示】
【発明が解決しようとする課題】
【０００３】
特許文献１記載の椅子型マッサージ機は、脚載置台を座部の前部に回動可能に連結しているので、当該脚載置台はマッサージ機本体の前方に配置されることになる。そのため、使用者が脚部のマッサージをする際には、マッサージ機の前方にスペースを確保する必要がある。しかしながら、これを椅子として常用している場合、その前に置かれたテーブル等が障害になるので、使用者は各種機構部を備えた重たいマッサージ機の方向を変更しなければならず非常に利便性が低い。
【０００４】
そこで、本発明は、脚等を載せる載置台（可動上部）を椅子本体に対して従来とは異なる方向に展開できるようにして利便性の高い椅子を提供することを目的とする。
【課題を解決するための手段】
【０００５】
本発明は上記目的を達成するために次の技術的手段を講じた。
すなわち、本発明は、設置面に置かれるベース部と、このベース部に連結されかつ表側に着座面を有する可動上部と、を備えた椅子であって、前記ベース部の上側及び前記可動上部の裏側には身体を置くための載置面が形成され、前記可動上部は、前記着座面を上向きにして前記ベース部上に配置された椅子状態から、前記ベース部の側方又は後方へ移動して、前記載置面を上向きに露出させる展開状態へ状態変更可能となるように、前記ベース部に連結されていることを特徴とする椅子である。
【０００６】
上記本発明の椅子によれば、表側に着座面、裏側に身体を置くための載置面を有する可動上部が、上側に載置面を有するベース部に、椅子状態から展開状態へ状態変更可能となるように連結されて、展開状態のときに前記載置面が上向きに露出されるので、当該展開状態において載置面に身体を置くことができる。
しかも、身体を置くことができる載置面がベース部の側方又は後方に展開されるので、椅子の前方に設置されたものが障害となることはなく、居住スペースを有効活用することができる。
【０００７】
上記の本発明において、前記可動上部の載置面に壁部が立設され、前記ベース部は、前記椅子状態のときに、前記壁部の立設方向先端部がベース部の前記載置面よりも下方に位置するのを許容するように構成されていることが好ましい。
これにより、可動上部に壁部を設けても、ベース部の載置面を高くすることができる。
【０００８】
また、上記の本発明において、前記壁部の上端面と、この上端面が当接するベース部の当接面とは、前記展開状態のときに連続するように構成されていることが好ましい。
この場合には、使用者が横臥状態で使用する展開状態のときに、立設された壁部の周縁部が、例えば凹部として構成されたベース部の当接部へ流れるようにデザインされるので、使用者が脚部を載置面に載せる際に、壁部が障害となりにくい。
【０００９】
さらに、上記本発明において、前記可動上部が複数に分割して構成され、これら可動上部がそれぞれ前記ベース部に連結されるようにしてもよい。この場合には、個々の可動上部の重量が重くならないので、使用者が椅子を簡単に展開状態へ状態変更することができる。
【００１０】
また、上記本発明において、前記ベース部と可動上部のうち少なくとも一方にはマッサージ部が設けられていることが好ましい。これにより、使用者は、椅子のみならず、マッサージ機（マッサージベッド）として使用することができる。
【００１１】
さらに、前記マッサージ部が設けられた椅子において、前記マッサージ部は、前記ベース部と可動上部のうち少なくとも一方の載置面でマッサージ動作を行うように設けられていることが好ましい。この場合には、使用者が展開状態におけるマッサージ機として使用する際に、ベース部や可動上部の載置面でマッサージを行うことができる。
【００１２】
また、上記本発明において、前記可動上部は、前記椅子状態における背凭れ部または肘掛け部を一体に備えていることが好ましい。これにより、使用者は、椅子状態においてリラックスした姿勢をとることができる。
【発明の効果】
【００１３】
本発明によれば、可動上部をベース部の側方又は後方へ回動可能に連結したので、可動上部がベース部に対して従来とは異なる方向に展開する利便性の高い椅子を提供できる。
【発明を実施するための最良の形態】
【００１４】
以下、本発明の好ましい実施形態を図面に基づいて説明する。本実施形態に係る椅子１は、図１に示すように、設置面に直接置かれかつ上面が着座面３ｂである着座台Ｃと、この着座台Ｃの上部左右両側に設けられた肘掛け部４，５と、この両肘掛け部４，５の後端部間（着座台Ｃの上部後側）に配置された背凭れ部６と、を備えている。
また、椅子１は、ベース部２と、このベース部２の上部に配置された一方の可動上部３Ａ及び他方の可動上部３Ｂと、を結合して構成されている。
ベース部２は着座台Ｃの下部範囲を構成し、一方の可動上部３Ａは着座台の上部範囲と、左肘掛け部５（図１右側）と、背凭れ部６とを構成し、他方の可動上部３Ｂは右肘掛け部４を構成している。
【００１５】
椅子１は、可動上部３Ａ、３Ｂをベース部２上に折り畳んだ図１、図３に示す椅子状態（折り畳み状態）から、可動上部３Ａ、３Ｂをベース部２の両側方に展開した図２、図４に示す展開状態（マッサージ機状態）に状態変更可能とされている。それゆえ、椅子１は椅子状態のときにソファー家具として、展開状態のときに使用者が横臥状態となることができるマッサージ機（マッサージベッド）として使用されるものである。
したがって、使用者は、椅子として使用するときには身体を前方（図３紙面貫通方向手前）へ向けた状態で着座し、マッサージ機として使用するときには身体を左方（図４右方向）へ向けた状態で横臥状態となることができる。このように、本実施形態の椅子１は、可動上部３を折り畳みあるいは展開することによりその形態を簡単に変更することができる。
【００１６】
ベース部２は、支持脚を介さずに床などの設置面に直接置かれる。すなわち、本実施形態の椅子１は、脚無しタイプとして構成されているものである。なお、ベース部２の下部に当該ベース部２を設置面上に支持するための支持脚を設けても良い。ベース部２は、当該ベース部２の周囲を構成するフレーム体Ｆと、このフレーム体Ｆに囲われかつマッサージを行う施療台８とからなっている。
フレーム体Ｆは、全体として上部に開口部を有する箱状として構成されており、矩形状の底面部９と、この底面部９から立設された周壁部７とからなっている。さらに、この周壁部７は、前後左右の周壁部７ａ、７ｂ、７ｃ、７ｄにより構成されている。また、周壁部７は、ベース部２上に可動上部３が配置された状態でソファーとして使用できるような高さで形成されている。また、左右周壁部７ｃ、７ｄには、一方の可動上部３Ａ及び他方の可動上部３Ｂをそれぞれ回動可能に支持するための一対のヒンジ１９、１９が取り付けられている。
【００１７】
前後周壁部７ａ、７ｂの上端面は、椅子状態において、可動上部３に立設された壁部２０（後述）を当接させる壁逃がし部１０（当接面）となっている。この壁逃がし部１０は、図４に示すように全体としてなだらかに下方に窪むように形成され、さらにその最下端１０ａは、ベース部２の左右方向中央部よりも左側にずれている。右周壁部７ｄは左周壁部７ｃよりも高く形成されている。
また、図４に示すように、ベース部２の載置面８ｂは、他方の可動上部３Ｂが配置されている右側（図４左側）が高く、一方の可動上部３Ａが配置されている左側（図４右側）が低くなるように傾斜している。
また、載置面８ｂの左側に展開されている脚載置面３ａ（後述）は、前記載置面８ｂと連続するように構成され、右側が高く、左側が低くなるように傾斜している。
したがって、載置面８ｂと脚載置面３ａで形成される面は、全体として右側から左側に向かって低くなるように傾斜している。これにより、図の仮想線で示すように、使用者が展開状態における椅子１に載った際に、可動上部３Ｂ側に頭部を置いて、その頭部の位置を高くして横臥状態になることができるようになっている。
【００１８】
施療台８は、内蔵されたマッサージ部１１で使用者にマッサージを施すように構成されたものである。施療台８の上部には載置面８ｂが形成されており、この載置面８ｂは前後の壁逃がし部１０に沿うようにして下方に若干窪んでいる。そして、壁逃がし部１０と載置面８ｂとは、当該壁逃がし部１０の最下端１０ａへ向かうに従って高低差が徐々に広がるように形成されている。すなわち、壁逃がし部１０は、壁部２０の立設方向先端部２０ａが施療台８の載置面８ｂ上面よりも下方に位置するのを許容するように構成されたものである。
【００１９】
また、施療台８は、椅子１の左右方向をその長手方向とされ、使用者が椅子の左右方向に向いて載置面８ｂ上で横臥又は着座することができるようになっている。施療台８には、前後の周壁部７ａ、７ｂに沿う一対の枠部８ａが設けられており、さらにこれら枠部８ａの内側にマッサージ部１１が内蔵されている。かかるマッサージ部１１は、移動機構１２により施療台８の内部で長手方向（椅子１の左右方向）に移動自在に設けられている。この移動機構１２は、前後一対のガイドフレーム１３と、これらガイドフレーム１３間で左右方向に設けられたネジ軸１４と、図示しない移動用モータとを備えており、この移動用モータによってネジ軸１４を回転させることにより、マッサージ部１１を支持している支持ベース１５をガイドフレーム１３に沿って昇降させる。
【００２０】
また、このマッサージ部１１は、使用者に揉み動作または叩き動作の所定の施療動作を施す施療子としての揉み玉１６と、上下端部に当該揉み玉１６が取り付けられたブーメラン状の左右一対の支持アーム１７等と、を備えている。マッサージ部１１は、ネジ軸１４の回転に応じて上下に移動することによって施療台内を移動して、使用者の首部、肩部、から腰部、臀部、太腿部にわたって揉み玉１６によるマッサージ動作（揉み動作または叩き動作）を行わせるようになっている。マッサージ部１１が内蔵されている部分の載置面８ｂにはカバー１８が設けられている。このカバー１８は、使用者が当接する部分の汚れ防止や、揉み玉１６があっても載置面８ｂへのもたれ、座り心地を良くする役割を持つものであり、比較的薄い布製等のシート材によって構成されている。
【００２１】
次に、ベース部２に連結されている両可動上部３Ａ、３Ｂについて説明する。
一方の可動上部３Ａは、図１、図２に示すように、その表側に着座面３ｂ、その裏側には脚等を載せる載置面として脚載置面３ａが形成されている。着座面３ｂは椅子状態において使用者が着座する面とされ、その裏側である前記脚載置面３ａは展開状態において使用者が脚等を載せる面とされている。
そして、この可動上部３Ａは、前記着座面３ｂを上向きにしてベース部２上に配置された椅子状態から、ベース部２の側方へ移動して、前記施療台８の載置面８ｂ及び前記脚載置面３ａを上向きに露出させる展開状態へ状態変更可能となるように、ベース部２の左周壁部７ｃに回動自在に連結されている。勿論、これとは逆に可動上部３Ａは、ベース部２の側方から当該ベース部２上に配置されるように回動して展開状態から椅子状態への状態変更も可能である。
一方の可動上部３Ａと左周壁部７ｃとは、展開状態における当該可動上部３Ａの右部が回動基部となるべく、当該左周壁部７ｃに取り付けられた一対のヒンジ１９、１９でベース部２の側部に連結されている。なお、展開状態における一方の可動上部３Ａの左側は回動自由端となっている。
【００２２】
また、脚載置面３ａには、その前後に一対の壁部２０、２０が立設されている。これら壁部２０は、図２、図４に示すように、所要厚みを有するなだらかな山型形状とされており、椅子状態のときに前記壁にがし部１０に組み合って着座台Ｃの前面部及び後面部を形成している。図に示すように、これら壁部２０の立設方向先端部２０ａが施療台８の載置面８ｂよりも下方に位置されて、当該壁部２０が施療台８の前後両側に逃がされている。
さらに、壁部２０は、展開状態のときに当該壁部２０の上端面２０ｂと壁逃がし部１０とで形成されるラインを連続させるように構成されている。そして、図４に示すように、当該ラインは、全体としてゆるやかな略Ｓ字曲線となっている。
【００２３】
図５に示すように、一方の可動上部３Ａの長手方向中央部は、脚載置面（底面）３ａと両壁部内面２０ｃ、２０ｃとによって左右（図５紙面貫通方向）及び上方が開口された一つの凹部２１を形成している。この凹部２１は使用者の両脚Ｌｌ，Ｌ２を収納するためのものである。なお、他の壁部として、両壁部２０、２０の間に中間壁を設けてもよい。この場合には、２つの凹部が形成され、両脚Ｌ１、Ｌ２が振り分けて収納される。なお、両壁部２０，２０の間隔は両脚Ｌ１，Ｌ２を入れることができる程度に設定されている。
【００２４】
脚載置面３ａはほぼ平坦に形成されており、収納された両脚部Ｌ１，Ｌ２の間に邪魔となる部材は存在しない。したがって、脚部Ｌ１，Ｌ２へのマッサージをしないときには、両脚部Ｌ１，Ｌ２を凹部２１内で自由に動かすことができる。例えば、使用者は、脚部Ｌ１，Ｌ２を組んだ状態で脚部Ｌ１、Ｌ２を脚載置面３ａに載せることもでき、使用者は所望の姿勢をとることができる。つまり、展開状態における椅子１は、リラックスベッドとしての機能が確保されている。なお、図示の脚載置面３ａは、完全な平坦面であるが、多少の傾斜や凹凸は許容される。
【００２５】
また、一方の可動上部３Ａ及び両壁部２０，２０には、エアセル機構による脚マッサージ部２４が内蔵されている。
図２、図５に示すように、壁部内面２０ｃと脚載置面３ａには、エアセル３０ａ，３０ｂ，３１ａ，３１ｂ等からなるエアセル機構が設けられている。壁部内面２０ｃに設けられたエアセル３０ａ，３０ｂ（以下、「側面エアセル」ともいう）は、空気給排装置４０と配管４１を介して接続されている。これらの側面エアセル３０ａ，３０ｂは、空気が給排されることにより膨張収縮し、壁部内面２０ｃから突出状に膨張することによって凹部２１に収納された両脚Ｌ１，Ｌ２の外側の部位を押圧する。つまり、一方の壁部内面２０ｃに設けられた第１側面エアセル３０ａは、他方の壁部２０側に突出状に膨張し、他方の壁部内面２０ｃに設けられた第２側面エアセル３０ｂは、一方の壁部２０側に突出状に膨張する。
【００２６】
また、脚載置面３ａに設けられたエアセル３１ａ，３１ｂ（以下、「底面エアセル」ともいう）は、空気給排装置４０と配管４１を介して接続されている。これらの底面エアセル３１ａ，３１ｂは、空気が給排されることにより膨張収縮し、脚載置面３ａから突出状に膨張することによって凹部２１内に収納された両脚Ｌ１．Ｌ２の裏側の部位を押圧する。底面エアセルは、脚載置面３ａの左右一方側に設けられた第１底面エアセル３１ａと、底面３ｂの左右他方側に設けられた第２底面エアセル３１ｂとが具備されている。
【００２７】
第１側面エアセル３０ａ及び第１底面エアセル３１ａは、一方の脚Ｌ１を押圧するためのものであり、第２側面エアセル３０ｂ及び第２底面エアセル３１ｂは、他方の脚Ｌ２を押圧するためのものである。なお、側面エアセル３０ａ、３０ｂと底面エアセル３１ａ、３１ｂとは、同時に膨張収縮させることもできるし、個別に膨張収縮させることもできるまた、エアセル３０ａ，３０ｂ，３１ａ，３１ｂは布又は皮製等のエアセルカバーによって覆われ、エアセルが外部に露出しないようにされている。第１及び第２側面エアセル３０ａ，３０ｂ及び第１及び第２底面エアセル３１ａ，３１ｂは、合成樹脂製のシート材を袋状に構成されている。
【００２８】
図６は、各エアセルの収縮状態における断面図を示し、図７（ａ）は、各エアセルの膨張状態における断面図を示している。これら図６及び図７（ａ）に示されるように、エアセル３０ａ、３０ｂ、３１ａ、３１ｂは、エアセル内部から空気が排出されたときには収縮して平坦状であり、エアセル内部に空気が供給されたときには扇型に膨張するように形成されている。なお、各エアセルは大きな膨張を可能とするために、その周端縁はシート材が折り畳み状とされた蛇腹構造となっている。各エアセルに空気が供給されると、周縁の蛇腹が伸びて大きく膨張することができ、エアセルから空気排出すると蛇腹が収縮して薄く平坦になるまで小さくなることができる。なお、側面エアセル３０ａ、３０ｂ及び底面エアセル３１ａ、３１ｂの膨張時の旋回（カーブ）支点は、側壁部２０の立ち上がりコーナー部付近となっている。
【００２９】
また、一方の可動上部３Ａの着座面３ｂと同じ面には、図１、図３に示すように左肘掛け部５と、この左肘掛け部５と前記右肘掛け部４の後端部間に配置された背凭れ部６とが固定されている。左肘掛け部５、背凭れ部６は、それぞれ同じ高さを有する立方形状とされており、椅子状態のときにそれぞれ左側の肘掛け、背凭れとして機能するものである。
さらに、左肘掛け部５及び背凭れる部６の別の機能は、一方の可動上部３Ａを回動させて展開状態としたときに、当該可動上部３Ａの下側に配置されて当該可動上部３Ａを下方から支持することである。
【００３０】
図４に示すように、左肘掛け部５及び背凭れ部６の高さは、展開状態のときに一方の可動上部３Ａの脚載置面３ａと床面（設置面）との間を丁度埋めることができる寸法とされている。したがって、展開状態のときには、左肘掛け部５及び背凭れ部６の上面５ａ、６ａは床面（設置面）に当接しており、当該左肘掛け部５及び背凭れ部６が可動上部３を下方から支持するようになっている。また、左肘掛け部５の外側面５ｂは、展開状態のときに左周壁部７ｃに当接している。
【００３１】
これにより、展開状態からの可動上部３の回動が、前記上面５ａ、６ａと床面の当接や、前記外側面５ｂと左周壁部７ｃの当接によって規制され、脚載置面３ａの位置が確実に固定されている。
なお、可動上部３の着座面３ｂには、クッション体２３が取り付けられており、このクッション体２３が使用者の座り心地を良好にしている。なお、クッション体２３の内部には、ウレタンや発泡樹脂等の弾性を有する素材が詰められている。
【００３２】
他方の可動上部３Ｂ（右肘掛け部４）は、図３、図４に示すように、前記左肘掛け部５と略同形状に形成されており、表側に肘等が置かれる着座面としての肘置き面３Ｂｂ、その裏側に頭部等を載せる載置面３Ｂａが形成されている。右周壁部７ｄの上部に一対のヒンジ１９、１９によって回動可能に連結されている。そして、この他方の可動上部３Ｂは、図３に示す椅子状態のときに右肘掛けとして機能し、図４に示す展開状態のときには、使用者の頭部が前記載置面３Ｂａに置かれる。また、当該可動上部３Ｂには、載置面３Ｂａ側を開口部とする収納部４ａが形成されており、この収納部４ａに断面円形の細長い枕体２２が収納されている。これにより、使用者は、適宜この収納部４ａから枕体２２を取り出すことができる。
【００３３】
なお、ベース部２、両可動上部３Ａ、３Ｂ、左右肘掛け部４，５、背凭れ部６にはポリエステル製の起毛トリコット，合成皮革，又は天然皮革等からなる外装材にて覆って構成されている。なお、他の形態として、両肘掛け部４，５よりも背凭れ部６を高く構成してもよい。この場合には、椅子状態において、使用者がよりリラックスした姿勢をとることができる。
以上の構成により、使用者は、両可動上部３Ａ、３Ｂをそれぞれ左右に回動させることにより、椅子状態からマッサージ機として使用する展開状態へその形態を変更することができる。また、マッサージ機として使用する際には、使用者は、施療台８に備えられたマッサージ部１１により首部、肩部、腰部、臀部、太股部にかけてマッサージをすることができ、さらに、可動上部３に備えられた脚マッサージ部２４により、脚部Ｌ１，Ｌ２をマッサージすることができる。
【００３４】
本実施形態にかかる椅子１によれば、表側に着座面３ｂ、裏側に身体を置くための載置面３ａを有する一方の可動上部３Ａが、上側に載置面８ｂを有するベース部２に折畳み、展開自在に連結され、展開状態において前記両載置面３ａ、８ｂが連なるようにして上向きに露出されるので、身体を載置面に置くことができる。また、左肘掛け部５及び背凭れ部６ごと展開することができるので、載置面８ｂをより広く形成することができる。
これにより、椅子のみならず、マッサージ機（マッサージベッド）として使用することができる。しかも、身体を置くことができる載置面３ａ、８ｂがベース部２の側方に展開されるので、椅子の前方に設置されたものが障害となることはなく、居住スペースを有効活用することができ、非常に利便性が高い。
さらに、展開状態において、一方の可動上部３が左肘掛け部５及び背凭れ部６により下方から支持されるので、脚載置面３ａの位置が確実に固定される。
【００３５】
また、椅子１には壁逃がし部１０が形成されているので、設置面と施療台８の載置面８ｂとの高さが、一方の可動上部３Ａに設けられた壁部２０の影響を受けずに確保される。これにより、マッサージ部１１を収容するスペースが施療台８の内部に確保される。
さらに、使用者がマッサージ機として使用する際に、脚載置面３ａに立設された壁部２０の上端部２０ｂが、ベース部２の壁逃がし部１０へ流れるようにデザインされているので、壁部２０が使用者の脚部Ｌ１，Ｌ２を脚載置面３ａに載せる際の障害となりにくい。
ベース部２と可動上部３には、首部、肩部、腰部、臀部、太腿部、脚部にわたる身体の各部をマッサージするマッサージ部１１、脚マッサージ部２４が設けられているので、使用者がリラックスした姿勢で手軽にマッサージを行うことができる。
なお、また、本実施形態の椅子１は、ソファーとしてのデザイン性を兼ね備えたものであり、例えば、家具専門店における陳列販売に好適である。
【００３６】
図８は、本発明にかかる椅子１の第２実施形態の正面図を示している。本実施形態が上記第１実施形態と異なる点は、両可動上部３Ａ（２６）、３Ｂ（２５）が左右方向中央部で２等分されている点である。左側に配置された可動上部２６は、左肘掛け部５１と、分割された背凭れ部の左側の部分５２ａと、これら左肘掛け部５１及び背凭れ部の左側の部分５２ａの下側に固定されている下部分５０ａと、で構成されている。また、右側に配置された可動上部２５は、右肘掛け部５３と、分割された背凭れ部の右側の部分５２ｂと、これら右肘掛け部５３及び背凭れ部の右側の部分５２ｂの下側に固定されている下部分５０ｂと、で構成されている。
また、両可動上部２５，２６は、左右の周壁部７ｃ、７ｄの上部でヒンジ１９によって、それぞれ左右方向へ回動自在に連結されている。したがって、使用者は、マッサージ機として使用するときは両可動上部２５，２６をそれぞれ左右両側に回動させて、椅子１を展開することになる。本実施形態の椅子１によれば、可動上部が２分割されているので、各可動上部２５，２５の重量が重くならず、かつ、回転半径が小さい。これにより、使用者が椅子を簡単に展開状態へ状態変更することができる。
【００３７】
図９は、本発明にかかる椅子１の第３実施形態の背面図を示している。本実施形態が上記第１実施形態と異なる点は、可動上部３が後方へ回動可能となっている点である。可動上部３の後端部３ａが、後周壁部７ｂの上部に一対のヒンジ１９によって回動自在に連結されている。また、この可動上部３は、左右肘掛け部２７，２８と背凭れ部２９とを一体に備えている。したがって、可動上部３がベース部２の後方へ回動されるときには、両肘掛け部２７，２８及び背凭れ部２９がそれとともに後方へ回動される。そして、展開状態において当該両肘掛け部２７，２８及び背凭れ部２９の各上面２７ａ、２８ａ，２９ａが床面（設置面）に当接し、可動上部３に形成された脚載置面３ａの位置を確実に固定する。本実施形態の椅子１によれば、施療台８の載置面８ｂの幅がより広げられ、使用者がマッサージ機として使用する際に身体を動かす自由度が大きくなる。
【００３８】
さらに、図示しないが、他の実施形態として、可動上部３を３分割してもよい。この場合には、３つの可動上部３のうち２つが左右両側に回動し、他の１つが前側又は後側に回動するように椅子を展開させることができる。これにより、載置面を前後左右に広げることができる。さらに、可動上部を椅子の前後に２分割してもよい。この場合には、可動上部が前後両側に回動するように椅子を展開することができる。
なお、本発明に係る椅子は、前方へ展開する可動上部を含んでいても、側方又は後方へ展開する可動上部を含むものであればよい。
また、可動上部３を１つとし、この可動上部３が左右肘掛け部及び背凭れ部を備えるように構成することもできる。この場合には、可動上部３の回動とともに、左右肘掛け部及び背凭れ部がすべて同じ方向に回動されることになる。
【００３９】
なお、上記実施例はすべて例示であって、制限的なものではない。例えば施療台８や可動上部３に内蔵されるマッサージ部１１、脚マッサージ部２４は上記実施例に限定するものではなく、他の構成を有する各種のマッサージ機構を採用することができる。また、肘掛け部４，５や背凭れ部６、ベース部２等の形状を変更して、デザイン性をさらに向上することで消費者の趣向に合わせることも勿論可能である。
【図面の簡単な説明】
【００４０】
【図１】椅子状態の斜視図である。
【図２】展開状態の斜視図である。
【図３】椅子状態の正面図である。
【図４】展開状態の正面図である。
【図５】展開状態の側面図である。
【図６】エアセル収縮状態を示す凹部正面図である。
【図７】（ａ）は、エアセル膨張状態を示す凹部正面図であり、（ｂ）は、（ａ）において両脚部を載置した状態を示す凹部正面図である。
【図８】第２実施形態における、椅子状態の正面図である。
【図９】第３実施形態における、椅子状態の背面図である。
【符号の説明】
【００４１】
１      椅子
２      ベース部
３Ａ    一方の可動上部
３Ｂ    他方の可動上部
３ａ    脚載置面
３ｂ    着座面
４      右肘掛け部
５      左肘掛け部
６      背凭れ部
８      施療台
１０    壁逃がし部
１１    マッサージ部
２４    脚マッサージ部
【図１】
2005211144.tif 000003
【図２】
2005211144.tif 000004
【図３】
2005211144.tif 000005
【図４】
2005211144.tif 000006
【図５】
2005211144.tif 000007
【図６】
2005211144.tif 000008
【図７】
2005211144.tif 000009
【図８】
2005211144.tif 000010
【図９】
2005211144.tif 000011